(57)【要約】【課題】本発明は、耐水性皮膜を形成し、且つ、耐水性皮膜からの有効成分を効率的に放出することができる皮膜形成性外用製剤を提供することを目的とする。【解決手段】（Ａ）炭素数１〜４の一価アルコール、（Ｂ）炭素数２〜４のモノカルボン酸と炭素数１〜５の一価アルコールとのエステル、（Ｃ）ニトロセルロース、及び（Ｄ）グリチルレチン酸、その誘導体、及び／又はその塩を含み、前記（Ｂ）成分の含有量が４０重量％以上であることを特徴とする皮膜形成性外用製剤は、耐水性皮膜からの有効成分を効率的に放出することができる。【選択図】なし【特許請求の範囲】
【請求項１】
（Ａ）炭素数１〜４の一価アルコール、（Ｂ）炭素数２〜４のモノカルボン酸と炭素数１〜５の一価アルコールとのエステル、（Ｃ）ニトロセルロース、及び（Ｄ）グリチルレチン酸、その誘導体、及び／又はその塩を含み、
前記（Ｂ）成分の含有量が４０重量％以上であることを特徴とする、皮膜形成性外用製剤。
【請求項２】
前記（Ｂ）成分の含有量が４０〜５２重量％である、請求項１に記載の皮膜形成性外用製剤。
【請求項３】
前記（Ｂ）成分が、酢酸エチルと酢酸ブチルとを含む、請求項１又は２に記載の皮膜形成性外用製剤。
【請求項４】
更に（Ｅ）可塑剤を含む、請求項１〜３のいずれかに記載の皮膜形成性外用製剤。
【請求項５】
前記（Ｅ）成分の含有量が０重量％超６重量％以下である、請求項４に記載の皮膜形成性外用製剤。
【請求項６】
前記（Ｅ）成分が、炭素数５〜２２のモノ、ジ又はトリカルボン酸と炭素数１〜９の一価アルコールのエステルである、請求項４又は５に記載の皮膜形成性外用製剤。
【請求項７】
（Ａ）炭素数１〜４の一価アルコール、（Ｂ）炭素数２〜４のモノカルボン酸と炭素数１〜５の一価アルコールとのエステル、（Ｃ）ニトロセルロース、及び（Ｄ）グリチルレチン酸、その誘導体、及び／又はその塩を含む皮膜形成性外用製剤において、前記皮膜形成性外用製剤から形成される皮膜からの前記（Ｄ）成分の放出率を向上させる方法であって、前記皮膜形成性外用製剤に、前記（Ｂ）成分を４０重量％以上の含有量となるように配合することを特徴とする、皮膜からの放出率向上方法。
【発明の詳細な説明】
【技術分野】
【０００１】
本発明は、皮膜形成性外用製剤に関する。より詳細には、本発明は、皮膜形成性外用製剤から形成される皮膜からの有効成分の放出率を向上させる皮膜形成性外用製剤に関する。
【背景技術】
【０００２】
ひび、あかぎれ、さかむけ、切り傷等の皮膚損傷部を細菌の侵入や感染から予防する衛生材料として、絆創膏が知られている。絆創膏は、粘着剤を積層させたテープ基材の中央部にガーゼや吸収パッドが取り付けられたテープ状絆創膏タイプと、使用前は液状を呈するが、皮膚に適用すると皮膜を形成する液体絆創膏に大別される。このうち液体絆創膏は、粘着剤を使用しておらず、剥離時の物理的刺激も緩和されており、更に、損傷部位に選択的に塗布することにより損傷部位の大きさや形状に応じた皮膜を形成できるため、テープ状絆創膏の前記欠点を補うものとして注目を浴びている。
【０００３】
従来、液体絆創膏において、フィルム形成成分としてニトロセルロースが使用されており、ニトロセルロースを利用した液体絆創膏の製剤処方も種々報告されている。例えば、特許文献１には、ニトロセルロースを酢酸３−メチルブチル、酢酸イソブチル又はアセトンに溶解し、更にエチルアルコールを添加して製剤化したフィルムガード製剤が開示されている。このような液体絆創膏から形成される皮膜は水に対して耐性を有しており、皮膚を有効に保護できる。
【０００４】
一方で、水洗により容易に除去可能皮膜を形成する液体絆創膏も報告されている。例えば、特許文献２には、特定のアクリルアミド系共重合体と特定の脂肪族アルコールとを含む皮膜形成用組成物が開示されているとともに、さらに有効成分を含む場合には皮膜中の有効成分の放出性に優れ、ドラッグデリバリーシステム製剤としての有用性が高い液体絆創膏となることが開示されている。
【先行技術文献】
【特許文献】
【０００５】
【特許文献１】特開２００８−１０５９７９号公報
【特許文献２】特開２００７−１１９４２８号公報
【発明の概要】
【発明が解決しようとする課題】
【０００６】
特定のアクリルアミド系共重合体と特定の脂肪族アルコールとを含む皮膜形成用組成物では、有効成分を含ませると、皮膜中の有効成分を効率的に放出することが可能である。しかしながら、有効成分の放出により皮膚へ有効成分を供給するには、皮膜を皮膚表面に留まらせることが大前提である。当該皮膜形成用組成物のように水洗いにより除去可能に設計されている組成では、皮膜が水に接触することで容易に皮膜が剥がれるため、皮膜を皮膚表面に留まらせることができる時間は必然的に短くなる。このため、有効成分を効果的に皮膚へ供給することができなくなる。
【０００７】
そこで本発明は、耐水性皮膜を形成し、且つ、耐水性皮膜からの有効成分を効率的に放出することができる皮膜形成性外用製剤を提供することを目的とする。
【課題を解決するための手段】
【０００８】
本発明者は鋭意検討の結果、（Ａ）炭素数１〜４の一価アルコール、（Ｂ）炭素数２〜４のモノカルボン酸と炭素数１〜５の一価アルコールとのエステル、及び（Ｃ）ニトロセルロース、を含み、有効成分として（Ｄ）グリチルレチン酸、その誘導体、及び／又はその塩（以下、グリチルレチン酸類とも記載する）を配合した皮膜形成性外用製剤において、（Ｂ）成分の含有量を所定量以上とすることで、有効成分である（Ｄ）成分の放出性が向上することを見出した。本発明は、この知見に基づいてさらに検討を重ねることにより完成したものである。
【０００９】
即ち、本発明は、下記に掲げる態様の発明を提供する。
項１．（Ａ）炭素数１〜４の一価アルコール、（Ｂ）炭素数２〜４のモノカルボン酸と炭素数１〜５の一価アルコールとのエステル、（Ｃ）ニトロセルロース、及び（Ｄ）グリチルレチン酸、その誘導体、及び／又はその塩を含み、
前記（Ｂ）成分の含有量が４０重量％以上であることを特徴とする、皮膜形成性外用製剤。
項２．  前記（Ｂ）成分の含有量が４０〜５２重量％である、項１に記載の皮膜形成性外用製剤。
項３．  前記（Ｂ）成分が、酢酸エチルと酢酸ブチルとを含む、項１又は２に記載の皮膜形成性外用製剤。
項４．  更に（Ｅ）可塑剤を含む、項１〜３のいずれかに記載の皮膜形成性外用製剤。
項５．  前記（Ｅ）成分の含有量が０重量％超６重量％以下である、項４に記載の皮膜形成性外用製剤。
項６．  前記（Ｅ）成分が、炭素数５〜２２のモノ、ジ又はトリカルボン酸と炭素数１〜９の一価アルコールのエステルである、項４又は５に記載の皮膜形成性外用製剤。
項７．  （Ａ）炭素数１〜４の一価アルコール、（Ｂ）炭素数２〜４のモノカルボン酸と炭素数１〜５の一価アルコールとのエステル、（Ｃ）ニトロセルロース、及び（Ｄ）グリチルレチン酸、その誘導体、及び／又はその塩を含む皮膜形成性外用製剤において、前記皮膜形成性外用製剤から形成される皮膜からの前記（Ｄ）成分の放出率を向上させる方法であって、前記皮膜形成性外用製剤に、前記（Ｂ）成分を４０重量％以上の含有量となるように配合することを特徴とする、皮膜からの放出率向上方法。
【発明の効果】
【００１０】
本発明によれば、耐水性皮膜を形成し、且つ、耐水性皮膜からの有効成分を効率的に放出することができる皮膜形成性外用製剤が提供される。
【発明を実施するための形態】
【００１１】
１．皮膜形成性外用製剤
本発明の皮膜形成性外用製剤は、（Ａ）特定のアルコール（以下において（Ａ）成分とも記載する）、所定量の（Ｂ）特定のエステル（以下において（Ｂ）成分とも記載する）、（Ｃ）ニトロセルロース（以下において（Ｃ）成分とも記載する）、及び（Ｄ）グリチルレチン酸類（以下において（Ｄ）成分とも記載する）を含むことを特徴とする。以下、本発明の皮膜形成性外用製剤について詳述する。
【００１２】
（Ａ）炭素数１〜４の一価アルコール
本発明の皮膜形成性外用製剤は、（Ａ）成分として、炭素数１〜４の一価アルコールを含有する。
【００１３】
炭素数１〜４の一価アルコールの種類については、特に制限されないが、例えば、メタノール、エタノール、ｎ−プロパノール、イソプロパノール、ｎ−ブタノール、ｓｅｃ−ブタノール、イソブタノール、ｔｅｒｔ−ブタノールが挙げられる。これらのアルコールの中でも、好ましくは炭素数２〜４の一価アルコール、より好ましくはエタノール、イソプロパノール、及びｎ−ブタノール、さらに好ましくはエタノール及びイソプロパノールが挙げられる。
【００１４】
本発明の皮膜形成性外用製剤において、（Ａ）成分として、炭素数１〜４の一価アルコール中から、１種を単独で使用してもよく、また２種以上を組み合わせて使用してもよい。
【００１５】
より一層優れた有効成分の放出向上効果を得る観点から、（Ａ）成分の好適な態様としてイソプロパノールが挙げられる。
【００１６】
本発明の皮膜形成性外用製剤において、（Ａ）成分の含有量については、特に制限されないが、例えば、１０〜７０重量％が挙げられる。より一層優れた有効成分の放出向上効果を得る観点から、（Ａ）成分の含有量としては、好ましくは１５〜６５重量％、より好ましくは３０〜５０重量％、更に好ましくは３５〜４５重量％、特に好ましくは３５〜４０重量％が挙げられる。
【００１７】
（Ｂ）炭素数２〜４のモノカルボン酸と炭素数１〜５の一価アルコールとのエステル
本発明の皮膜形成性外用製剤は、（Ｂ）成分として、炭素数２〜４のモノカルボン酸と炭素数１〜５の一価アルコールとのエステルを含有する。「炭素数２〜４のモノカルボン酸と炭素数１〜５の一価アルコールとのエステル」とは、炭素数２〜４のモノカルボン酸１分子と炭素数１〜５の一価アルコール１分子がエステル結合した化合物である。
【００１８】
前記エステルを構成する炭素数２〜４のモノカルボン酸の種類については、特に制限されないが、例えば、酢酸、乳酸、プロピオン酸、酪酸等が挙げられる。これらのモノカルボン酸の中でも、好ましくは、炭素数２又は３のモノカルボン酸、更に好ましくは、酢酸、乳酸が挙げられる。
【００１９】
また、前記エステルを構成する炭素数１〜５の一価アルコールの種類については、特に制限されないが、例えば、メタノール、エタノール、ｎ−プロパノール、イソプロパノール、ｎ−ブタノール、ｓｅｃ−ブタノール、イソブタノール、ｔｅｒｔ−ブタノール、ベンジルアルコール、１−ペンタノール、３−メチル−１−ブタノール、２−メチル−１−ブタノール、２，２ジメチル−１−プロパノール、２−ペンタノール、３−メチル−２−ブタノール、３−ペンタノール、２−メチル−２−ブタノールが挙げられる。これらのアルコールの中でも、好ましくは、メタノール、エタノール、ｎ−プロパノール、イソプロパノール、ｎ−ブタノール、１−ペンタノール、ベンジルアルコール、更に好ましくはエタノール、ｎ−プロパノール、イソプロパノール、ｎ−ブタノール、１−ペンタノールが挙げられる。
【００２０】
前記エステルとして、具体的には、酢酸メチル、酢酸エチル、酢酸プロピル（酢酸ｎ−プロピル）、酢酸イソプロピル、酢酸ブチル（酢酸ｎ−ブチル）、酢酸ｓｅｃ−ブチル、酢酸イソブチル、酢酸ペンチル（酢酸１−ペンチル）、乳酸エチル、乳酸ブチル、酢酸イソアミル（酢酸３−メチルブチル）、酪酸エチル、プロピオン酸エチル等が挙げられる。これらの中でも、より一層優れた有効成分の放出向上効果を得る観点から、前記エステルとして、好ましくは、酢酸エチル、酢酸ブチル、乳酸エチル；更に好ましくは、酢酸エチル、酢酸ブチルが挙げられる。
【００２１】
本発明の皮膜形成性外用製剤において、（Ｂ）成分として、前記エステルの中から、１種を単独で使用してもよく、また２種以上を組み合わせて使用してもよい。例えば、（Ｂ）成分として、沸点が異なる２種以上のエステルを組み合わせて使用することにより、本発明の皮膜形成性外用製剤の皮膜形成速度を適宜調節することもできる。例えば、沸点が１００℃未満の上記エステル（例えば、酢酸エチル）と、沸点が１００℃以上の上記エステル（例えば、酢酸ブチル）を併用し、沸点が１００℃未満の上記エステルの比率を高く設定すると、皮膜形成速度を早くすることができ、沸点が１００℃未満の上記エステルの比率を低く設定すると、皮膜形成速度を遅くすることができる。
【００２２】
（Ｂ）成分の好適な例としては、同じ量の（Ｂ）成分で比較すると、酢酸エチルと酢酸ブチルを組み合わせて使用することが、より一層優れた有効成分の放出向上効果を得る観点から好ましい。酢酸エチル１重量部当たりの酢酸ブチルの含有量としては、より一層優れた有効成分の放出向上効果を得る観点から、０．０５〜０．４重量部、好ましくは０．０８〜０．４重量部、より好ましくは０．１１〜０．３重量部、さらに好ましくは０．２〜０．３重量部が挙げられる。
【００２３】
本発明の皮膜形成性外用製剤において、（Ｂ）成分の含有量は、４０重量％以上である。（Ｂ）成分の含有量が４０重量％を下回ると、所望の有効成分の放出向上効果を得ることができない。より一層優れた有効成分の放出向上効果を得る観点から、例えば、（Ｂ）成分の含有量は、好ましくは４０〜６０重量％、より好ましくは４０〜５２重量％、さらに好ましくは４７〜５２重量％が挙げられる。
【００２４】
本発明の皮膜形成性外用製剤において、（Ａ）成分に対する（Ｂ）成分の比率については、これらの両成分の各含有量を充足する範囲で適宜設定すればよいが、より一層優れた有効成分の放出向上効果を得る観点から、例えば、（Ａ）成分１重量部当たり、（Ｂ）成分が０．９〜２．５重量部、好ましくは０．９５〜２重量部、より好ましくは１〜１．５重量部、さらに好ましくは１．２〜１．４重量部が挙げられる。
【００２５】
（Ｃ）ニトロセルロース
本発明の皮膜形成性外用製剤は、（Ｃ）成分としてニトロセルロースを含有する。ニトロセルロースは、皮膚上形成される耐水性皮膜の基剤としての役割を果たす。
【００２６】
本発明に使用されるニトロセルロースは、皮膚上で皮膜を形成できる限り、その分子量、窒素含有量等については、特に制限されない。
【００２７】
また、本発明の皮膜形成性外用製剤では、ニトロセルロースとして、ピロキシリンを使用することもできる。ピロキシリンとは、ニトロセルロースが溶媒に潤されているものであり、具体的には、ニトロセルロース７０重量％程度とイソプロパノール３０重量％程度の混合物が挙げられる。本発明において、（Ｃ）成分として、市販されているピロキシリンを使用することもできる。市販されているピロキシリンとしては、具体的には、Ｔ．Ｎ．Ｃ．Ｉｎｄｕｓｔｒｉａｌ Ｃｏ．，Ｌｔｄ製のＲＳ １／３２ ｓｅｃ、ＲＳ １／１６ ｓｅｃ、ＲＳ １／８ ｓｅｃ、ＲＳ １／８ Ｌ ｓｅｃ、ＲＳ １／８ Ｈ ｓｅｃ、ＲＳ １／４ ｓｅｃ、ＲＳ １／４ Ｈ ｓｅｃ、ＲＳ １／２ ｓｅｃ、ＲＳ １ ｓｅｃ、ＲＳ ５〜６ ｓｅｃ、ＲＳ １０〜１５ ｓｅｃ、ＲＳ １５〜２０ ｓｅｃ、ＲＳ ３０〜４０ ｓｅｃ、ＲＳ ６０〜８０ ｓｅｃ、ＲＳ １２０ ｓｅｃ、ＲＳ １５０ ｓｅｃ、ＲＳ ３００ ｓｅｃ、ＲＳ ５００ ｓｅｃ、ＲＳ ８００ ｓｅｃ、ＲＳ １２００ ｓｅｃ、ＲＳ ２０００ ｓｅｃ；Ｋｏｒｅａ ＣＮＣ Ｌｔｄ製のＲＳ １／１６、ＲＳ １／８、ＲＳ １／４、ＲＳ １／２、ＲＳ １、ＲＳ ２、ＲＳ ５、ＲＳ ７、ＲＳ ２０、ＲＳ ６０、ＲＳ １２０、ＲＳ ５００、ＲＳ １０００、ＲＳ ２０００等が挙げられる。これらは、１種単独で使用してもよく、２種以上を組み合わせて使用してもよい。なお、本発明において、（Ｃ）成分としてピロキシリンを使用する場合には、ピロキシリンに内在する炭素数１〜４の一価アルコールは、前記（Ａ）成分の一部を構成することになる。
【００２８】
本発明の皮膜形成性外用製剤において、（Ｃ）成分の含有量は、皮膚上で皮膜を形成可能であることを限度として、特に制限されないが、例えば、３．５〜１４重量％、好ましくは５〜１１重量％、より好ましくは７〜９．５重量％が挙げられる。
【００２９】
（Ｄ）グリチルレチン酸類
本発明の皮膜形成性外用製剤は、（Ｄ）成分としてグリチルレチン酸類を含有する。グリチルレチン酸類は、グリチルレチン酸、その誘導体、及びそれらの塩の少なくともいずれかである。（Ｄ）成分は皮膜形成性外用製剤の有効成分として含まれており、本発明の皮膜形成性外用製剤においては、形成された皮膜からの（Ｄ）成分の放出率が向上されている。
【００３０】
グリチルレチン酸は、抗炎症作用や抗アレルギー作用等を有することが知られている公知の薬剤である。
【００３１】
グリチルレチン酸の誘導体としては、薬学的又は香粧学的に許容されることを限度として特に制限されないが、具体的には、グリチルレチン酸ピリドキシン、グリチルレチン酸ステアリル、グリチルレチン酸グリセリル、グリチルレチン酸モノグルクロニド等が挙げられる。これらのグリチルレチン酸の誘導体は、１種単独で使用してもよく、また２種以上を組み合わせて使用してもよい。
【００３２】
グリチルレチン酸及び／又はその誘導体の塩としては、薬学的又は香粧学的に許容されるものである限り特に制限されないが、具体的には、ナトリウム塩、カリウム塩等のアルカリ金属塩；アンモニウム塩等が挙げられる。これらの塩は、１種単独で使用してもよく、また２種以上を組み合わせて使用してもよい。
【００３３】
本発明の皮膜形成性外用製剤において、（Ｄ）成分として、グリチルレチン酸、グリチルレチン酸の塩、グリチルレチン酸の誘導体、及びグリチルレチン酸の誘導体の塩の中から、１種を選択して使用してもよく、２種以上を組み合わせて使用してもよい。
【００３４】
これらの（Ｄ）成分の中でも、より一層優れた有効成分の放出向上効果を得る観点から、好ましくはグリチルレチン酸が挙げられる。
【００３５】
本発明の皮膜形成性外用製剤において、（Ｄ）成分の含有量については、特に制限されず、付与すべき薬効に応じて適宜設定すればよいが、例えば、０．０１〜１重量％、好ましくは０．０５〜０．８重量％、更に好ましくは０．１〜０．５重量％が挙げられる。また、本発明の皮膜形成性外用製剤においては、有効成分の放出率が向上しているため、０．０１〜０．４重量％、又は０．０５〜０．３５重量％といった比較的少ない量であっても、効果的に有効成分を皮膚に供給することができる。
【００３６】
本発明の皮膜形成性外用製剤において、（Ｂ）成分に対する（Ｄ）成分の比率については、これらの両成分の各含有量を充足する範囲で適宜設定すればよいが、より一層優れた有効成分の放出向上効果を得る観点から、例えば、（Ｂ）成分１００重量部当たり、（Ｄ）成分が０．８重量部以下、好ましくは０．３〜０．８重量部、より好ましくは０．５〜０．７重量部、さらに好ましくは０．５９〜０．７重量部、特に好ましくは０．５９〜０．６５重量部が挙げられる。
【００３７】
（Ｅ）可塑剤
本発明の皮膜形成性外用製剤は、皮膚上に形成させる皮膜に対して、良好な柔軟性や皮膚付着性を付与するために、必要に応じて、（Ｅ）成分として可塑剤を含んでいてもよい。
【００３８】
本発明で使用される可塑剤としては、薬学的に許容できるものであれば、特に制限されないが、例えば、植物油、炭素数５〜２２のモノ、ジ又はトリカルボン酸と炭素数１〜９の一価アルコールのエステル、テルペノイド、多価アルコール、グリセリン脂肪酸エステル、鉱物油、ポリエーテル、ポリエステル等が挙げられる。より一層優れた有効成分の放出向上効果を得る観点から、好ましくは炭素数５〜２２のモノ、ジ又はトリカルボン酸と炭素数１〜９の一価アルコールのエステルが挙げられる。
【００３９】
植物油としては、具体的には、ヒマシ油、綿実油、大豆油、ゴマ油、アルモンド油、ウイキョウ油、トウモロコシ油、オリブ油、オレンジ油、カミツレ油、ケイヒ油、小麦麦芽油、サフラワー油、シソ油、シトロネラー油、ショウキョウ油、スペアミント油、コメ油、チョウジ油、ツバキ油、テレビン油、トウヒ油、ナタネ油、ハッカ油、ヒマラヤスギ油、ヒマワリ油、ベルガモット油、ヤシ油、ユーカリ油、ラッカセイ油、ラベンダー油、卵黄油、レモン油、ローズ油、ロート油、ローマカミツレ油等が挙げられる。これらの植物油は、１種単独で使用してもよく、また２種以上を組み合わせて使用してもよい。
【００４０】
炭素数５〜２２のモノ、ジ又はトリカルボン酸と炭素数１〜９の一価アルコールのエステルとしては、具体的には、パルミチン酸イソプロピル、ミリスチン酸イソプロピル、ステアリン酸イソプロピル、リノール酸エチル、リノール酸イソプロピル、フタル酸ジメチル、フタル酸ジエチル、フタル酸ジプロピル、フタル酸ジブチル、フタル酸ジオクチル、アジピン酸ジイソブチル、アジピン酸ジイソプロピル、アジピン酸ジイソノニル、アジピン酸ジオクチル、セバシン酸ジエチル、セバシン酸ジイソプロピル、セバシン酸ジブチル、クエン酸トリエチル、クエン酸トリブチル、クエン酸アセチルトリブチル等が挙げられ、より一層優れた有効成分の放出向上効果を得る観点から、好ましくはパルミチン酸イソプロピルが挙げられる。これらのエステルは、１種単独で使用してもよく、また２種以上を組み合わせて使用してもよい。
【００４１】
テルペノイドとしては、具体的には、カンフル、メントール、ボルネオール、シネオール、アネトール、リモネン、オイゲノール、ゲラニオール、ハッカ油等が挙げられる。これらのテルペノイドは、１種単独で使用してもよく、また２種以上を組み合わせて使用してもよい。
【００４２】
これらの可塑剤は、１種を単独で使用してもよく、また２種以上を組み合わせて使用してもよい。
【００４３】
本発明の皮膜形成性外用製剤において、（Ｅ）成分を含有させる場合、その含有量については、特に制限されず、例えば０重量％超１０重量％以下が挙げられる。より一層優れた有効成分の放出向上効果を得る観点から、好ましくは０重量％超６重量％以下、より好ましくは２〜６重量％、さらに好ましくは４〜６重量％、特に好ましくは４〜５．５重量％が挙げられる。
【００４４】
本発明の皮膜形成性外用製剤において、（Ｅ）成分を含有させる場合、（Ｄ）成分に対する（Ｅ）成分の比率については、これらの両成分の各含有量を充足する範囲で適宜設定すればよいが、より一層優れた有効成分の放出向上効果を得る観点から、例えば、（Ｄ）成分１重量部当たりの（Ｅ）成分の含有量として０重量部超２０重量部以下、好ましくは２〜１８重量部、より好ましくは１０〜１８重量部、特に好ましくは１５〜１７重量部が挙げられる。
【００４５】
その他の成分
本発明の皮膜形成性外用製剤は、本発明の効果を妨げない範囲で、必要に応じて、水、アセトン、エチルメチルケトン、ジエチルエーテル等の溶剤を更に含んでいてもよい。但し、（Ａ）成分及び（Ｂ）成分以外の溶剤は、皮膜の透明性を損なったり、水との接触による皮膜の白濁化やゲル化を生じ易くなったりすることがあるため、（Ａ）成分及び（Ｂ）成分以外の溶剤を配合する場合には、かかる特性を考慮する必要がある。更に、ジエチルエーテルは、揮発性の高さに起因する発火性から製造上の取り扱いに注意が必要であり、また、保存中の乾燥による固化、特有の匂い等の原因にもなり得るので、ジエチルエーテルを配合する場合には、このような特性に配慮することが求められる。本発明の皮膜形成性外用製剤における（Ａ）成分及び（Ｂ）成分以外の溶剤の含有量としては、例えば、４重量％以下程度、特に２重量％以下程度であることが望ましい。
【００４６】
更に、本発明の皮膜形成性外用製剤は、本発明の効果を妨げない範囲で、必要に応じて、（Ｄ）成分以外の薬効成分を含んでいてもよい。このような薬効成分としては、例えば、抗炎症剤、局所麻酔剤、鎮痛剤、抗ヒスタミン剤、殺菌剤、抗真菌剤、ビタミン類、保湿剤、美白剤、組織修復剤、皮膚保護剤、角質軟化剤、局所刺激剤、鎮痒剤、収斂剤、紫外線防御剤、シリコンゲル、生薬エキス、アミノ酸類、ミネラル類等が挙げられる。
【００４７】
また、本発明の皮膜形成性外用製剤は、本発明の効果を妨げない範囲で、必要に応じて、（Ｄ）成分以外の増粘剤、緩衝剤、キレート剤、抗酸化剤、安定化剤、乳化剤、可塑剤、防腐剤、香料、清涼化剤、着色剤、分散剤、流動化剤、粘稠化剤、吸着剤、保湿剤、湿潤剤、防湿剤、帯電防止剤等の添加剤を含んでいてもよい。
【００４８】
製剤形態
本発明の皮膚洗浄剤組成物の製剤形態については、皮膚に適用可能であることを限度として特に制限されないが、例えば、液状又は半固形状（ゲル状、ペースト状）が挙げられ、形成する皮膜の厚みを十分に確保する観点から、好ましくは半固形状が挙げられる。本発明の皮膚洗浄剤組成物が半固形状である場合の具体的な粘度としては、形成する皮膜の厚みを十分に確保する観点から、好ましくは５０００〜１５０００ｍＰａ・ｓ、より好ましくは５５００〜１３０００ｍＰａ・ｓ、更に好ましくは６０００〜１１０００ｍＰａ・ｓ、特に好ましくは６０００〜８０００ｍＰａ・ｓが挙げられる。ここで、粘度とは、２０〜２２℃において、Ｂ型粘度計（スピンドルＮｏ．３、１２ｒｐｍ）によって測定される値である。
【００４９】
皮膜形成性外用製剤の製造方法
本発明の皮膜形成性外用製剤は、上記（Ａ）〜（Ｄ）成分、及び必要に応じて、上記（Ｅ）成分、上記他の溶剤、薬効成分、添加剤等を所望量混合することにより調製される。
【００５０】
皮膜形成性外用製剤の使用方法
本発明の皮膜形成性外用製剤は、有効成分である（Ｄ）成分の供給が求められている部位であれば、特に制限されず、例えば、上肢、下肢、胸部、腹部、背部、腰部、足首、手首、肘、膝、指、足背部、足底部、踵等が挙げられる。本発明の皮膜形成性外用製剤は有効成分である（Ｄ）成分の放出率が向上しているため、皮膚の創傷部に対して適用されることがより好ましい。創傷部としては、（Ｄ）成分による効能が期待されるものであれば特に限定されず、例えば、すり傷、掻き傷、靴ずれ、ひび、あかぎれ、切り傷、刺し傷、皮むけ、その他角質層の薄化又は欠落を生じている部位が挙げられる。
【００５１】
本発明の皮膜形成性外用製剤を皮膚に塗布する方法については、特に制限されず、例えば、指での塗布、チューブの容器口を用いた直接塗布、刷毛やヘラ等を用いた塗布等による方法であればよいが、使用者の利便性の観点から、刷毛を用いた塗布が好ましい。また、使用者の利便性を高めるために、本発明の皮膜形成性外用製剤は、刷毛が付属された容器に収容して提供されることが望ましい。
【００５２】
２．皮膜からの放出率向上方法
前述するように、炭素数１〜４の一価アルコールと、炭素数２〜４のモノカルボン酸と炭素数１〜５の一価アルコールとのエステルと、ニトロセルロースと、グリチルレチン酸類とを含む皮膜形成性外用製剤において、炭素数２〜４のモノカルボン酸と炭素数１〜５の一価アルコールとのエステルの含有量を４０重量％以上となるように調節することで、形成される皮膜からのグリチルレチン酸類の放出率を向上させることができる。従って、本発明は、更に、（Ａ）炭素数１〜４の一価アルコール、（Ｂ）炭素数２〜４のモノカルボン酸と炭素数１〜５の一価アルコールとのエステル、（Ｃ）ニトロセルロース、及び（Ｄ）グリチルレチン酸、その誘導体、及び／又はその塩を含む皮膜形成性外用製剤において、前記皮膜形成性外用製剤から形成される皮膜からの前記（Ｄ）成分の放出率を向上させる方法であって、前記皮膜形成性外用製剤に、前記（Ｂ）成分を４０重量％以上の含有量となるように配合することを特徴とする、皮膜からの放出率向上方法を提供する。
【００５３】
なお、本発明において、皮膜からの放出率を向上するとは、（Ａ）成分、（Ｂ）成分、（Ｃ）成分、及び（Ｄ）を含む皮膜形成性外用製剤において、（Ｂ）成分の含有量が４０重量％未満である場合に比べ、皮膜からの（Ｄ）成分の放出量が多くなることをいう。皮膜からの（Ｄ）成分の放出量は、第十七改正日本薬局方に規定されたパドルオーバーディスク法により測定することができる。
【００５４】
前記皮膜からの放出率向上方法において、使用する成分の種類や使用量、皮膜形成性外用製剤の形態、使用方法等については、前記「１．皮膜形成性外用製剤」の欄に示す通りである。
【実施例】
【００５５】
以下に実施例を示して本発明をより具体的に説明するが、本発明はこれらに限定されるものではない。
【００５６】
試験例
［皮膜形成性外用製剤の調製］
表１に示す組成の皮膜形成性外用製剤を調製した。具体的には、（Ａ）成分、（Ｄ）成分、及び（Ｅ）成分を撹拌混合し、これに（Ｃ）成分を添加して分散させた後、（Ｂ）成分を加えて均一に撹拌溶解して皮膜形成性外用製剤を得た。なお、ニトロセルロースについてはピロキシリンを用い、ピロキシリン中のニトロセルロースが表中の配合量となるように調製した。
【００５７】
［グリチルレチン酸の放出性試験］
（放出試験）
第十七改正日本薬局方に規定されたパドルオーバーディスク法に準拠し、パドルオーバーディスク（富山産業株式会社製、網１２５μｍ、ＳＵＳ３１６製、Ｄ２４１４）に、調製された皮膜形成性外用製剤約０．１ｇを素早くドーナツ状に塗布し、約２時間風乾して皮膜を形成した。試験液（放出されるグリチルレチン酸を受容する液）としては、３２℃±０．５℃に加温したエタノール９００ｍＬを用いた。皮膜形成性外用製剤で皮膜を形成したディスク１個を、ベッセル内に収容した試験液中で、パドル回転数を毎分５０回転に設定した試験に供した。回転開始１分後にベッセル内の試験液を採取し、孔径０．４５μｍ以下のメンブランフィルターでろ過して試料溶液とした。
【００５８】
（標準溶液の調製）
グリチルレチン酸標準品をエタノールに加えて超音波照射で溶解させることで、０．５μｇ／ｍＬグリチルレチン酸標準溶液を調製した。
【００５９】
（定量試験）
標準溶液及び試料溶液２５μＬについて、高速液体クロマトグラフを用いた以下の条件での試験に供し、グリチルレチン酸を測定した。
＜高速液体クロマトグラフ操作条件＞
検出器：紫外吸光光度計
カラム：Ｉｎｅｒｔｓｉｌ  ＯＤＳ−４（３μｍ，４．６ｍｍ×１５０ｍｍ）
カラム温度：４０℃
移動相：アセトニトリル／リン酸（１v/v％→１００v/v％グラジエント）混液（３：２（ｖ：ｖ））
流量：０．７５ｍＬ／ｍｉｎ
測定波長：２５４ｎｍ
【００６０】
標準溶液０．５μｇ／ｍＬのグリチルレチン酸とピーク面積とから、以下の式に基づいて試料中のグリチルレチン酸放出率を算出した。結果を表１に示す。
【００６１】
【化１】
2020099419.tif 000002
【００６２】
【表１】
2020099419.tif 000003
【００６３】
表１から明らかなように、（Ａ）成分、（Ｂ）成分、（Ｃ）成分及び（Ｄ）成分を含む皮膜形成性外用製剤のうち、（Ｂ）成分が４０重量％未満である皮膜形成性外用製剤（比較例１〜４）では皮膜からのグリチルレチン酸の放出率が低いことに対し、（Ｂ）成分が４０重量％以上である皮膜形成性外用製剤（実施例１〜５）では皮膜からのグリチルレチン酸の放出率が顕著に向上した。